(57)【要約】【課題】平行に配列された複数の主桟３１と、隣り合う主桟に直交する複数の補助桟３２で形成されるファンガード３において、ファンガードの強度を確保し、意匠性も向上させることを目的とする。【解決手段】補助桟は、第１間隔Ｗｂと第１間隔の３倍の幅を有する第２間隔Ｗｃを交互に設けて主桟３１に沿って左右方向に配列され、主桟を挟んで隣り合う補助桟は、主桟３１に沿って第１間隔Ｗｂと第２間隔Ｗｃが互い違いになるように配列されていることで、主桟の片側が第１間隔の２本の補助桟で支えられることで、もう一方の片側に補助桟の第２間隔が位置しても２本の補助桟に引っ張られて撓みが抑えられ強度が増す構造となる。【選択図】図２
2019056531.tif 000002
【特許請求の範囲】
【請求項１】
平行に配列された複数の主桟と、隣り合う前記主桟に直交する複数の補助桟で形成されるファンガードにおいて、
前記補助桟は、前記主桟の間に第１間隔と前記第１間隔の３倍の幅を有する第２間隔を交互に設けて配列されるとともに、
前記主桟を挟んで隣り合う前記補助桟は、前記第１間隔と前記第２間隔が前記主桟に沿って互い違いになるように配列されることを特徴とする。
【請求項２】
前記主桟は前記補助桟より前方に突出していることを特徴とする請求項１に記載のファンガード。
【請求項３】
筐体の内部に送風ファンを備え、前記筐体に前記送風ファンで導かれた空気を流出入する空気出入口が設けられ、前記空気出入口に前記ファンガードを備えた空気調和装置。
【発明の詳細な説明】
【技術分野】
【０００１】
本発明は、ファンガードおよびこれを備えた空気調和装置に関するものである。
【背景技術】
【０００２】
空気調和装置はその筐体の内部に空気を取り入れる吸込口や空気を吹き出す吹出口を備えている。このような空気調和装置のうち、例えば空気清浄機や空気調和機の室外機の吸込口や吹出口には、筐体の内部への異物の侵入を防ぐためにファンガードが取り付けられているものがある。
【０００３】
従来の室外機のファンガードは、鉄線材を渦巻状に加工したものや、鉄線材を縦と横で交差させたものが一般的であるが、鉄線材では意匠にバリエーションを持たせるのが難しいことから、特許文献１に示す樹脂材で形成されたファンガードがある。図５に示すようにこのファンガード９０は、間隔Ｗｄを空けて上下方向に平行に配置された複数の主桟９１と、上下に位置する主桟９１にそれぞれ直交するように両端が固定された左右方向に並んで配置された複数の補助桟９２とによって形成されている。補助桟９２は主桟９１よりも細く形成されている。左右の補助桟９２は同一の間隔Ｗｅで配列されており、上下に位置する補助桟９２は互い違いとなるように配列されている。これにより一見してレンガの並びを思い浮かべる意匠となっており、従来の鉄線材のファンガードに対して差別化された意匠となっている。
【先行技術文献】
【特許文献】
【０００４】
【特許文献１】特開平８−２４７０９７号公報（第１７図）
【発明の概要】
【発明が解決しようとする課題】
【０００５】
ファンガード９０に効率的に空気を流出入させるためには主桟９１と補助桟９２で囲まれた開口部９３の開口面積を大きくする必要がある。一方で、開口部９３は人の手指が入らない大きさでなければいけない。よって開口部９３は主桟９１の間隔Ｗｄを手指が入らない小さな間隔とし、補助桟９２の間隔Ｗｅを大きくとって開口面積を大きくしている。しかし樹脂材は鉄線材に比べて強度が弱く変形しやすい性質があり、主桟９１と補助桟９２が交わる固定部９４で主桟９１が補助桟９２の無い開口部９３側に撓む変形が発生する場合がある。さらに開口部９３の開口面積を大きくしたことで補助桟９２に負担が掛り、補助桟９２の強度が足りないことで補助桟９２の折れが発生する場合がある。
【０００６】
本発明は以上述べた問題点を解決し、平行に配列された複数の主桟と、隣り合う主桟に直交する複数の補助桟で形成されるファンガードにおいて、ファンガードの強度を確保し、意匠性も向上させることを目的とする。
【課題を解決するための手段】
【０００７】
上述した課題を解決するために、平行に配列された複数の主桟と、隣り合う前記主桟に直交する複数の補助桟で形成されるファンガードにおいて、
前記補助桟は、前記主桟の間に第１間隔と前記第１間隔の３倍の幅を有する第２間隔を交互に設けて配列されるとともに、
前記主桟を挟んで隣り合う前記補助桟は、前記第１間隔と前記第２間隔が前記主桟に沿って互い違いになるように配列されることを特徴とする。
【０００８】
また、前記主桟は前記補助桟より前方に突出していることも含まれる。
【０００９】
さらに、筐体の内部に送風ファンを備え、前記筐体に前記送風ファンで導かれた空気を流出入する空気出入口が設けられ、前記空気出入口に前記ファンガードを備えた空気調和装置であることも含まれる。
【発明の効果】
【００１０】
上記のように構成した本発明のファンガードは、平行に配列された複数の主桟と、隣り合う主桟に直交する複数の補助桟で形成されるファンガードにおいて、ファンガードの強度を確保し、意匠性も向上させる。
【図面の簡単な説明】
【００１１】
【図１】本発明のファンガードを備えた空気調和機の室外機の正面図である。
【図２】図１のＸ部の拡大図である。
【図３】図２のＡ-Ａ断面図である。
【図４】第２実施例の本発明のファンガードを備えた空気清浄機の外観図で、（ａ）は斜視図、（ｂ）は上面図、（ｃ）は右側面図である。
【図５】従来のファンガードの図である。
【発明を実施するための形態】
【００１２】
以下、本発明を実施するための形態を、添付図面に基づいた実施例として詳細に説明する。なお本発明はこれに限定されるものではない。
【実施例１】
【００１３】
本発明のファンガードは空気調和装置に用いられるものである。第１の実施例では、本発明のファンガードを空気調和機の室外機に適用した例で説明する。図１は室外機１の正面図であり、図２は図１のファンガード３の部分拡大図であり、図３は図２のＡ-Ａ断面図である。
【００１４】
空気調和機の室外機１は直方体形状の筐体１０を有し、筐体１０の外郭は鋼板を加工した前面板１１と天面板１２と底面板１３および側面板１６、１６で形成されている。筐体１０の内部にはプロペラファン型の送風ファン１４と図示しない熱交換器と圧縮機とアキュムレータと四方弁と冷媒配管等が収容されている。
【００１５】
送風ファン１４に向かい合った前面板１１には送風ファン１４の風を前方に流出させるために円形に開口された吹出口１５が設けられている。吹出口１５には前面板１１に四隅を固定した矩形のファンガード３が備えられ、ファンガード３は吹出口１５に人の手指や異物が侵入することを防いでいる。
【００１６】
なお、空気調和装置の筐体では、送風ファンに空気を流入させる吸込口にファンガードを設ける場合もあり、吹出口と吸込口を合わせて空気出入口とする。
【００１７】
ファンガード３は樹脂材の射出成型で形成され、四角形の枠３０で囲まれた中に、間隔Ｗａを空けて上下に平行に配列された複数の主桟３１と、主桟３１よりも細く上下に隣り合う主桟３１と主桟３１の間に主桟３１に直交するように配置された補助桟３２で形成されている。
【００１８】
補助桟３２は、第１間隔Ｗｂと第１間隔Ｗｂの３倍の幅を有する第２間隔Ｗｃを交互に設けて主桟３１に沿って左右方向に配列され、主桟３１を挟んで隣り合う補助桟３２は、主桟３１に沿って第１間隔Ｗｂと第２間隔Ｗｃが互い違いになるように配列されている。
【００１９】
主桟３１と補助桟３２の第１間隔Ｗｂで囲まれた開口部が第１通風孔３３となる。また主桟３１と補助桟３２の第２間隔Ｗｃで囲まれた開口部が第２通風孔３４となり第２通風孔３４は第１通風孔３３の３倍の幅を有する長孔となる。そして、ファンガード３を上下方向に見て第１通風孔３３の下に第２通風孔３４が位置し、その下に第１通風孔３３が位置するように、第１通風孔３３と第２通風孔３４は上下方向に互い違いになるように配列されていることになる。これにより長孔である第２通風孔３４の主桟３１は上下方向のそれぞれの片側が２本の補助桟３２、３２で支えられている。そして第２通風孔３４を支える２本の補助桟３２、３２は第２通風孔３４を３等分した位置にある。主桟３１が第２通風孔３４側に撓む力は均等に配置された２本の補助桟３２で引っ張られることで撓みが抑えられる。
【００２０】
また、第１間隔Ｗｂで２本の補助桟３２が並ぶことで補助桟３２に掛る力を分散でき補助桟３２の強度が保たれ補助桟３２の折れを防ぐことができる。
【００２１】
図３に示すように第１通風孔３３と第２通風孔３４および補助桟３２の高さＨｃは使用者の手指Ｙが挿入できない高さとなっている。
【００２２】
主桟３１は前面側の高さＨａよりも奥行ＤａがＨａ＜Ｄａとなるように設けられている平板状の桟であり、補助桟３２の奥行Ｄｂは主桟３１の奥行Ｄａの後方から中程までの間に形成される。よって、主桟３１は補助桟３２より前方に突出し、補助桟３２は主桟３１よりも奥に位置することになる。これによりファンガード３は正面視では互い違いに配列された補助桟３２が視認されて手込感のある印象を与え、斜視では補助桟３２よりも突出している平行な主桟３１だけが視認されて、正面視とは表情の異なる意匠となり高級感を与え、美観を向上させるものとなる。
【実施例２】
【００２３】
実施例１ではファンガード３の主桟３１は横桟で補助桟３２は縦桟となっているが、これに限らず主桟が縦桟で補助桟が横桟でもよく、補助桟が主桟に直交するように配置して形成されていればよい。たとえば図４に示すように本発明のファンガードを実施例２として空気清浄機２０に適用した例で説明する。図４（ａ）は空気清浄機２０の斜視図、図４（ｂ）は上面図、図４（ｃ）は右側面図である。また図示しないが左側面図は右側面図と対称形で現れる。
【００２４】
空気清浄機２０は直方体形状の筐体２１を有し、筐体２１の内部には図示しないフィルターと送風ファンを備える。筐体２１の前面と背面はパネル２２で覆われている。筐体２１の上面には前方に操作表示部２３を備え、後方に吹出口２４を備える。操作表示部２３と吹出口２４の間に中央パネル２５がある。中央パネル２５は左右側面まで延出し、中央パネル２５と前面と背面のパネル２２の間の２箇所に吸込口２６が設けられている。吹出口２４と吸込口２６はファンガード４が備えられ、ファンガード４は吹出口２４と吸込口２６に人の手指や異物が侵入することを防いでいる。
【００２５】
ファンガード４は主桟４１と補助桟４２からなり、左右側面においては中央パネル２５を囲むようにＵ字状の主桟４１が平行に配列されており、左右側面のＵ字状の主桟４１は上面で直線状に連結される。
【００２６】
補助桟４２は上面や側面において常に主桟４１に直交するように配置して形成される。補助桟４２のレイアウトは実施例１と同様である。よってファンガード４を視認した際は図４（ｂ）の上面や図４（ｃ）の側面視では互い違いに配列された補助桟４２が視認されて手込感のある印象を与え、図４（ａ）の斜視図では補助桟４２よりも突出しているＵ字状の主桟４１だけが視認されて、正面視とは表情の異なる意匠となり高級感を与え、美観を向上させるものとなる。
【００２７】
また主桟４１はいずれかの片側が２本の補助桟４２、４２で支えられていることで、主桟４１が撓む力は均等に配置された２本の補助桟４２で引っ張られることで撓みが抑えられ、２本の補助桟４２が並ぶことで補助桟４２に掛る力を分散でき補助桟４２の強度が保たれ補助桟４２の折れを防ぐことができる。
【符号の説明】
【００２８】
１：室外機
１０／２１：筐体
１４：送風ファン
１５／２６：吹出口
２０：空気清浄機
３／４：ファンガード
３１／４１：主桟
３２／４２：補助桟
３３：第１通風孔
３４：第２通風孔
Ｗｂ：第１間隔
Ｗｃ：第２間隔
【図１】
2019056531.tif 000003
【図２】
2019056531.tif 000004
【図３】
2019056531.tif 000005
【図４】
2019056531.tif 000006
【図５】
2019056531.tif 000007